(57)【要約】      （修正有）【課題】垂直な地層、或いは、凹凸のある地表に、垂直、水平、或いは、特定の角度で精度良く設置できる写真測量用スケールを提供する。【解決手段】互いに直交する三個の差込孔を持つアタッチメントを４隅に配し、該差込孔の二個を用いて、寸法が既知で２本ずつ同じ長さを持つ４本のパイプなどの構造材を互いに直行するように組付けて矩形形状を作り、かつ、該差込孔の残りの一個を用いて、長さ調整が可能なパイプなどの構造材を差し込む。【選択図】図１
0003162862.tif 000002
【実用新案登録請求の範囲】
【請求項１】
４辺を構成するパイプや角材などの構造材と、これらを組み付けするアタッチメント部材、本構成物を特定の角度に設置するための機能を有する矩形モデル
【請求項２】
パイプや角材などの構造材を、直角に位置する２つの組付用差込孔に差込み、矩形を構成する機能を持つアタッチメント部材
【請求項３】
矩形平面に対し垂直に加工された設置用差込孔を持ち、パイプなどを本差込孔に通し、かつ、特定の長さ位置で固定し、矩形モデルを特定の角度に設置する機能を持つアタッチメント部材
【考案の詳細な説明】
【技術分野】
【０００１】  本考案は、考古学の発掘現場で使用する写真測量におけるスケールに関するものである。
【背景技術】
【０００２】  考古学の遺跡発掘においては、地層及び遺物の三角図法による実測図を作成する。実測方法の一つとして、被写体とスケールを一緒に写真撮影して、スケールの長さにより写真の縮尺を設定して、実測の下絵画像を作成する方法があるが、被写体の対象に応じて、スケールを水平、垂直、斜めなど特定の角度に設置する必要がある。
例えば、考古学では、遺構が属する年代を調べる方法として、精密な地層の実測図を作成することが重要である。現状では、垂直かつ平面上に仕上げられた地層面にスケールを設置するが、手でスケールを持つか、或いは、スケールをピンなどで借り止め固定する方法で、精度良く垂直に設置することができない。
遺物については、遺物の出土状況を解析するため、上面の実測図を多く作成する。この場合、遺物の近くにスケールを水平に設置して、真上より写真撮影を行う。しかしながら、遺跡の発掘現場の形状は、傾きや凹凸があり、スケールを水平に置くため、四隅の下側に様々な形の物を置き、水平状態を作らねばならず、手間がかかり、かつ、精度の良い水平状態を作ることは難しい。
スケールを特定の位置に、特定の角度で設置することは、多くの手間がかかり、且つ、精度良く設置もできないため、写真撮影による寸法測定に、誤差が発生している。
【考案の開示】
【考案が解決しようとする課題】
【０００３】  垂直な地層、或いは、凹凸のある地表に、垂直、水平、或いは、特定の角度で容易に設置できる矩形型のスケール
【課題を解決するための手段】
【０００４】  パイプや角材などの構造材と、矩形を構成する機能を持つアタッチメント部材により、矩形型スケールを作成する。
アタッチメント部材には、矩形平面に対し垂直に加工された差込孔を持ち、パイプなどを本孔に通し、かつ、特定の長さ位置で固定し、矩形型スケール全体を特定の角度に設置することができる。
地層の測量では、アタッチメント部材の差込孔にパイプなどを通し、更に、地層面に差し込むことにより、容易に垂直にスケールを設置することができる。
遺物を真上から測量する場合では、アタッチメント部材の差込孔にパイプを通し、地表の形状、凹凸に応じて、パイプの長さを調節し、容易に水平に矩形型スケールを設置することができる。
【考案を実施するための最良の形態】
【０００５】  スケールの形状は、縦横の長さを見られる矩形が最良で、縦横２辺の長さは自由に設定できる。
矩形を構成するには、パイプや角材をアタッチメント部材で組み立てることにより、軽量となり、持ち運びも容易になる。
アタッチメント部材には、直交した組付パイプＡ及びＢ用差込孔があり、それぞれのパイプを差し込むことができる。差し込まれたパイプは、ネジにより固定する。パイプと本アタッチメント部材の各４個を組み付けることにより矩形のスケールを構成する。
アタッチメント部材は、矩形平面に対し垂直に加工された設置用差込孔を持つ。設置用パイプなどを本差込孔に通し、且つ、ネジにより特定の長さ位置で固定する。
【実施例】  考古学の発掘における遺構測量、遺物測量の精度や効率が向上する。
【図面の簡単な説明】
【図１】は、矩形型スケールの平面図である。
【図２】は、矩形型スケールの側面図である。
【図３】は、アタッチメント部材である。
【図４】は、アタッチメント部材の側面図である。
【図５】は、アタッチメント部材の下面図である。
【図６】は、ＺＺ’断面図である。
【図７】は、地層への矩形型スケールの設置図（正面）である。
【図８】は、地層への矩形型スケールの設置図（側面）である。
【図９】は、斜面上の遺物への矩形型スケールの設置図（上面）である。
【図１０】は、斜面上の遺物への矩形型スケールの設置図（側面）である。
【符号の説明】  １：アタッチメント部材
２：組付用パイプＡ
３：組付用パイプＢ
４：組付用パイプＡ差込孔
５：組付用パイプＢ差込孔
６：組付用パイプＡ固定ボルト
７：設置用差込孔
８：設置用パイプ固定ボルト
９：組付用パイプＢ固定ボルト
１０：矩形型スケール
１１：地層
１２：地層面
１３：設置用パイプ
１４：遺物
１５：地表面
１６：設置用パイプ
【図１】
0003162862.tif 000003
【図２】
0003162862.tif 000004
【図３】
0003162862.tif 000005
【図４】
0003162862.tif 000006
【図５】
0003162862.tif 000007
【図６】
0003162862.tif 000008
【図７】
0003162862.tif 000009
【図８】
0003162862.tif 000010
【図９】
0003162862.tif 000011
【図１０】
0003162862.tif 000012
【手続補正書】
【提出日】平成22年3月24日(2010.3.24)
【手続補正１】
【補正対象書類名】実用新案登録請求の範囲
【補正対象項目名】全文
【補正方法】変更
【補正の内容】
【実用新案登録請求の範囲】
【請求項１】
考古学の発掘現場などで使用する写真測量用スケールにおいて、寸法が既知で２本ずつ同じ長さを持つ４本のパイプなどの構造材と、該構造材が直行するように組付用の差込孔を有するアタッチメントを４隅に配する矩形形状から成る写真測量用スケール。
【請求項２】
請求項１の４隅に配置されるアタッチメントは、矩形形状からなるスケールの平面に対し垂直に配置される差込孔を有し、該差込孔に長さ調整が可能なパイプなどの構造材が差し込まれ、該構造物の長さ調節により、測定物に対し特定の角度に該スケールが設置できる写真測量用スケール。
【手続補正書】
【提出日】平成22年6月30日(2010.6.30)
【手続補正１】
【補正対象書類名】実用新案登録請求の範囲
【補正対象項目名】全文
【補正方法】変更
【補正の内容】
【実用新案登録請求の範囲】
【請求項１】
考古学の発掘現場などで使用する写真測量用スケールにおいて、互いに直交する三個の差込孔を持つアタッチメントを４隅に配し、該差込孔の二個を用いて、寸法が既知で２本ずつ同じ長さを持つ４本のパイプなどの構造材を互いに直行するように組付けて矩形形状を作り、かつ、該差込孔の残りの一個を用いて、長さ調整が可能なパイプなどの構造材を差し込み、該構造物の長さ調節により、該矩形形状を測定物に対し特定の角度に設置できる写真測量用スケール。